(57)【要約】【課題】良好な緩衝性を得つつ、障害物近傍の掃除に適した床ブラシを提供する。【解決手段】接触部47の上方と下方とに弾性部46を配置する。接触部47を、弾性部46よりも弾性が大きい樹脂部48により付勢しつつケース体31の外側面から弾性部46よりも突出させる。バンパ部43が障害物に衝突した際には、接触部47が障害物に衝突して樹脂部48の弾性により衝撃を緩和するだけでなく、衝撃が大きいときには弾性部46も障害物に接触して衝撃を緩和するので、良好な緩衝性を得ることができる。障害物近傍の掃除の際には、弾性部46よりも摩擦抵抗が小さい接触部47が障害物に接触した状態となるので、ケース体31を障害物に沿って円滑に移動させることができ、障害物近傍の掃除に適する。【選択図】図１
2010200802.tif 000002
【特許請求の範囲】
【請求項１】
ケース体と、
このケース体の外側面の少なくとも一部に取り付けられた緩衝用のバンパ部とを具備し、
前記バンパ部は、
接触用の接触部と、
弾性を有し、この接触部の上方と下方との少なくともいずれかに配置された弾性部と、
前記接触部の少なくとも一部を付勢しつつ前記弾性部よりも前記ケース体の外側面から突出させる弾性体とを備え、
前記接触部は、前記弾性部よりも摩擦抵抗が小さく、
前記弾性体は、前記弾性部よりも大きい弾性を有している
ことを特徴とした吸込口体。
【請求項２】
弾性部は、接触部の上下にそれぞれ配置されている
ことを特徴とした請求項１記載の吸込口体。
【請求項３】
ケース体は、長手方向に沿って吸込口を備え、
接触部は、少なくとも前記吸込口に対応して長手方向に連続的に形成されている
ことを特徴とした請求項１または２記載の吸込口体。
【請求項４】
接触部は、少なくとも一部がケース体の前面に位置している
ことを特徴とした請求項１ないし３いずれか一記載の吸込口体。
【請求項５】
接触部は、
ケース体の前面に位置する前部接触部と、
前記ケース体の側面に位置する側部接触部とを有し、
前記前部接触部は、前記側部接触部よりも前記ケース体の外側面からの突出量が大きい
ことを特徴とした請求項１ないし４いずれか一記載の吸込口体。
【請求項６】
電動送風機を収容した掃除機本体と、
前記電動送風機の吸込側に連通可能な請求項１ないし５いずれか一記載の吸込口体と
を具備したことを特徴とした電気掃除機。
【発明の詳細な説明】
【技術分野】
【０００１】
本発明は、緩衝用のバンパ部を有する吸込口体およびこれを備えた電気掃除機に関する。
【背景技術】
【０００２】
従来、この種の電気掃除機は、電動送風機を収容した掃除機本体を備えている。この掃除機本体には、電動送風機の吸込側に連通して本体集塵室が区画されており、この本体集塵室は、掃除機本体に開口形成された本体吸込口を介して外部と連通可能となっている。そして、本体吸込口には、ホース体、延長管および吸込口体としての床ブラシが順次接続され、この床ブラシを被掃除面である床面上で走行させることにより、電動送風機の駆動で発生した負圧によって床面上の塵埃を吸い込み、本体集塵室に集塵するように構成されている。
【０００３】
床ブラシは、横長のケース体と、このケース体に回動可能に接続された接続管とを有している。ケース体は、上側が開口した下ケースと、この下ケースの上側を覆う上ケースと、これら下ケースと上ケースとの間で挟持される緩衝部材であるバンパ部とを備えている。
【０００４】
バンパ部は、例えばエラストマなどの可撓変形可能な部材により、ケース体の両側部および前部に亘って連続して形成されており、ケース体の外側面から突出している。そして、このバンパ部は、床面を掃除する際に床ブラシを床面上で前後に走行させたときに、壁などの障害物に衝突することで、衝突時の衝撃を吸収する。
【０００５】
このようなバンパ部としては、内部に流動体を所定圧力で封入して、その流動体によってバンパ部の弾性を調整するものが知られている(例えば、特許文献１参照。)。
【先行技術文献】
【特許文献】
【０００６】
【特許文献１】特開２００３−３２５３９１号公報(第３−４頁、図１)
【発明の概要】
【発明が解決しようとする課題】
【０００７】
しかしながら、上述の床ブラシでは、バンパ部の変形のみで衝撃を吸収するに過ぎず、緩衝性(クッション性)が充分でないという問題点を有している。
【０００８】
一方で、緩衝性を向上させるために、バンパ部を、例えば発泡ゴムなどの、より軟質の部材で形成すると、バンパ部を壁面に接触させた状態で床ブラシを壁面に沿って移動させながら壁面近傍の床面を掃除しようとする際に、バンパ部の摩擦抵抗(グリップ力)によって床ブラシが壁面に引っ掛かるなど、操作性が低下したり、バンパ部が削れて壁面に跡が残ったりするおそれがあるという問題がある。
【０００９】
本発明は、このような点に鑑みなされたもので、良好な緩衝性を得つつ、障害物近傍の掃除に適した吸込口体およびこれを備えた電気掃除機を提供することを目的とする。
【課題を解決するための手段】
【００１０】
本発明は、ケース体の外側面の少なくとも一部に取り付けられた緩衝用のバンパ部が、接触用の接触部と、弾性を有し、この接触部の上方と下方との少なくともいずれかに配置された弾性部と、接触部の少なくとも一部を付勢しつつ弾性部よりもケース体の外側面から突出させる弾性体とを備え、接触部は、弾性部よりも摩擦抵抗が小さく、弾性体は、弾性部よりも大きい弾性を有しているものである。
【発明の効果】
【００１１】
本発明によれば、接触部の上方と下方との少なくともいずれかに弾性部を配置し、接触部の少なくとも一部を、弾性部よりも弾性が大きい弾性体により付勢しつつケース体の外側面から弾性部よりも突出させることにより、バンパ部が障害物に衝突した際には、接触部が障害物に衝突して弾性体の弾性により衝撃を緩和するだけでなく、衝撃が大きいときには弾性部も障害物に接触して衝撃を緩和するので、良好な緩衝性を得ることができるとともに、障害物近傍の掃除の際には、弾性部よりも摩擦抵抗が小さい接触部が障害物に接触した状態となるので、ケース体を障害物に沿って円滑に移動させることができ、障害物近傍の掃除に適する。
【図面の簡単な説明】
【００１２】
【図１】本発明の第１の実施の形態の吸込口体を示す縦断面図であり、(a1)はバンパ部の前部を障害物に接触させた状態で壁面に沿って掃除をしている状態を示し、(a2)はバンパ部の側部を障害物に接触させた状態で壁面に沿って掃除をしている状態を示し、(b1)は前方に位置する障害物近傍の被掃除面を掃除している状態を示し、(b2)は側方に位置する障害物近傍の被掃除面を掃除している状態を示す。
【図２】同上吸込口体の接触部の突出量を示す縦断面図であり、(a)は吸込口体の前部、(b)は吸込口体の側部を示す。
【図３】同上吸込口体を示す側面図である。
【図４】同上吸込口体を備えた電気掃除機を示す斜視図である。
【図５】本発明の第２の実施の形態の吸込口体を示す縦断面図であり、(a1)はバンパ部の前部を障害物に接触させた状態で壁面に沿って掃除をしている状態を示し、(a2)はバンパ部の側部を障害物に接触させた状態で壁面に沿って掃除をしている状態を示し、(b1)は前方に位置する障害物近傍の被掃除面を掃除している状態を示し、(b2)は側方に位置する障害物近傍の被掃除面を掃除している状態を示す。
【発明を実施するための形態】
【００１３】
以下、本発明の第１の実施の形態の構成を図１ないし図４を参照して説明する。
【００１４】
図４において、11はいわゆるキャニスタ型の電気掃除機を示し、この電気掃除機11は、管部12と、この管部12が着脱可能に接続される掃除機本体13とを有している。
【００１５】
管部12は、掃除機本体13に接続される直管状の接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側に着脱可能に接続される吸込口体としての床ブラシ19とを備えている。
【００１６】
手元操作部17には、把持部21がホース体16側へと突出し、この把持部21には、操作用の設定ボタン22が複数設けられている。
【００１７】
また、掃除機本体13は、電動送風機27を収容する図示しない電動送風機室と、この電動送風機室に連通する図示しない本体集塵室とを内部に備え、両側に設けられた走行輪28(一方のみ図示)によって被掃除面である床面Ｆ(図１)上を走行可能となっている。さらに、本体集塵室には、管部12の基端側である接続管部15が接続可能となっている。そして、本体集塵室には、集塵袋である紙パック、あるいは集塵装置である集塵カップなどの図示しない集塵部が着脱可能に配置されている。
【００１８】
電動送風機27は、掃除機本体13内に収容された図示しない二次電池、あるいは、図示しない電源コードを介して接続された商用交流電源などから給電され、掃除機本体13内の制御手段である図示しない制御回路により、設定ボタン22で設定された所定の動作モードで動作されて管部12を介して空気とともに塵埃を吸い込むものである。
【００１９】
また、床ブラシ19は、図１ないし図４に示すように、例えば合成樹脂などにより横長に形成されたケース体31と、このケース体31の後部に回転可能に接続され延長管18に接続される接続管32とを備えている。さらに、ケース体31には、床面Ｆに対向する下面に横長の吸込口33が開口形成されている。なお、この吸込口33には、モータ、あるいはエアタービンなどの図示しない駆動手段により回転駆動される図示しない回転清掃体を回転可能に配置してもよい。
【００２０】
ケース体31は、上側が開口した下ケース41と、この下ケース41の上側を覆う上ケース42とを備えている。また、下ケース41と上ケース42との連結部分近傍には、緩衝部材であるバンパ部43が取り付けられている。
【００２１】
下ケース41および上ケース42は、それぞれ硬質の合成樹脂などにより形成されている。
【００２２】
バンパ部43は、ケース体31の外側面のうち、前面31aおよび両側面31b，31bに亘って、平面視で略コ字状に形成されている。そして、このバンパ部43は、上下に離間されて位置する弾性部46，46と、これら弾性部46，46間に位置する接触部47と、この接触部47を付勢する弾性体としての樹脂部48とを有している。
【００２３】
各弾性部46は、軟質で、かつ弾性を有する、エラストマなどの部材によってそれぞれ形成されており、ケース体31の左右幅方向に沿って長尺状で前面31a全体に亘って略水平状に連続する前部弾性部46aと、両側面31b，31bに沿って、すなわち前後方向に長尺状で略水平状に連続する側部弾性部46b，46bとを備えている。そして、各弾性部46は、基端側の上部および下部に取付溝部46c，46cが略全体に亘って形成されており、これら取付溝部46c，46cに対して、ケース体31に穿設された各取付孔51の縁部51a，51aがそれぞれ係合されるようにケース体31に対して取り付けられている。
【００２４】
前部弾性部46aは、図１(a1)および図１(b1)に示すように、吸込口33の左右幅方向の全域の上方に対応する位置に形成されている。また、この前部弾性部46aの先端部は、上下方向に沿って平坦状の前部弾性接触面46dとなっている。
【００２５】
各側部弾性部46bは、図１(a2)および図１(b2)に示すように、ケース体31の側面31bの前端側から後端近傍に亘って形成されている。また、各側部弾性部46bは、前部弾性部46aの左右両側部にそれぞれ連続して形成されている。さらに、各側部弾性部46bの先端部は、上下方向に沿って平坦状の側部弾性接触面46eとなっている。この側部弾性接触面46eは、前部弾性接触面46dと連続して形成されている。
【００２６】
ここで、前部弾性部46aと各側部弾性部46bとのケース体31からの突出量、すなわち前部弾性部46aの前面31aからの突出量L1と、各側部弾性部46bの各側面31bからの突出量L2とは、互いに略等しく設定されている(図２(a)および図２(b))。
【００２７】
また、接触部47は、各弾性部46よりも摩擦抵抗(グリップ力)が小さい硬質材により形成されており、ケース体31の左右幅方向に沿って長尺状で前面31a全体に亘って略水平状に連続する前部接触部47aと、両側面31b，31bに沿って、すなわち前後方向に長尺状で略水平状に連続する側部接触部47b，47bとを備えている。さらに、この接触部47は、前部接触部47aの背面側と各側部接触部47b，47bの背面側とに亘って、凹状に窪んだ凹部47cが形成されている。
【００２８】
前部接触部47aは、吸込口33の左右幅方向の全域の上方に対応する位置に形成され、弾性部46，46の前部弾性部46a，46a間に位置している。また、この前部接触部47aの先端部は、上下方向に沿って平坦状の前部接触面47dとなっている。さらに、前部接触部47aは、基端側すなわち後端側の位置が、前部弾性部46a，46aの前部弾性接触面46d，46dに対して、ケース体31の前面31a側の位置まで延びており、これら前部弾性部46a，46aとの間に前後方向の隙間が生じないように構成されている。
【００２９】
そして、前部接触部47aの先端側すなわち前端側(前部接触面47d)は、前部弾性部46a(前部弾性接触面46d)よりもケース体31の前面31aに対して前方に突出して位置している。また、前部接触部47a(前部接触面47d)の前部弾性部46a(前部弾性接触面46d)に対する突出量は、ケース体31の前面31aから前部接触部47aの後端部までの距離よりも小さく設定されている。このため、前部接触部47aは、少なくとも前部接触面47dと前部弾性部46aの前部弾性接触面46dとが面一となる位置まで樹脂部48が圧縮されて後退可能に構成されている。
【００３０】
各側部接触部47bは、ケース体31の側面31bの前端側から後端近傍に亘って形成され、弾性部46，46の側部弾性部46b，46b間に位置している。また、各側部接触部47bは、前部接触部47aの左右両側部にそれぞれ連続して形成されている。さらに、各側部接触部47bの先端部は、上下方向に沿って平坦状の側部接触面47eとなっている。この側部接触面47eは、前部接触面47dと連続して形成されている。
【００３１】
また、各側部接触部47bは、基端側の位置が、側部弾性部46b，46bの側部弾性接触面46e，46eに対して、ケース体31の側面31b側の位置まで延びており、これら側部弾性部46b，46bとの間に左右幅方向の隙間が生じないように構成されている。そして、側部接触部47bの先端側(側部接触面47e)は、側部弾性部46b(側部弾性接触面46e)よりもケース体31の側面31bに対して側方に突出して位置している。また、側部接触部47b(側部接触面47e)の側部弾性部46b(側部弾性接触面46e)に対する突出量は、ケース体31の側面31bから側部接触部47bの基端部までの距離よりも小さく設定されている。このため、側部接触部47bは、少なくとも側部接触面47eと側部弾性部46bの側部弾性接触面46eとが面一となる位置まで後退可能に構成されている。
【００３２】
ここで、前部接触部47aのケース体31の前面31aからの突出量L3は、側部接触部47bのケース体31の側面31bからの突出量L4よりも大きく設定されている(図２(a)および図２(b))。
【００３３】
また、樹脂部48は、各弾性部46よりも大きい弾性を有し、すなわち各弾性部46よりも撓みやすい、例えばスポンジ状のウレタンフォームなどの合成樹脂によって形成されており、接触部47をケース体31の外側面(前面31aおよび側面31b)に対して突出する方向へと付勢している。さらに、樹脂部48は、取付孔51，51間にてケース体31(下ケース41あるいは上ケース42)に形成された取付部54に基端側が保持され、先端側が接触部47の背面側の凹部47cに接着などにより取り付けられている。そして、樹脂部48は、接触部47の各接触面47d，47eが各接触面46d，46eと面一になるまで撓んだ状態で塑性変形しないように構成されている。すなわち、樹脂部48は、一旦撓んでも、復元力により再度接触部47をケース体31に対して突出させるように構成されている。換言すれば、樹脂部48は、最大に撓む前に接触部47の各接触面47d，47eが各接触面46d，46eと面一になるように構成されている。なお、この樹脂部48は、本実施の形態において、接触部47の背面側全体に亘って連続的に配置されているものの、例えば、接触部47の背面側の複数箇所に配置してもよい。
【００３４】
また、吸込口33は、下ケース41の下面41aに開口形成されており、接続管32に連通している。
【００３５】
次に、上記第１の実施の形態の動作を説明する。
【００３６】
掃除の際には、図４に示す掃除機本体13の本体集塵室に集塵部を取り付け、電源コードをコンセントに接続するなど、電動送風機27に給電可能な状態とし、作業者が設定ボタン22を操作することで、掃除機本体13内の制御回路が電動送風機27を駆動させる。
【００３７】
作業者は、床面Ｆ上に床ブラシ19を載置し、把持部21を把持して床ブラシ19を走行させる。
【００３８】
ここで、図１(a1)に示すように、床ブラシ19を床面Ｆ上で走行させた際には、この床ブラシ19の前部が障害物である壁面W1に衝突することがある。このとき、接触部47の前部接触部47aの前部接触面47dが壁面W1に接触し、樹脂部48が潰れるように撓んで衝撃を緩和し、さらに、接触部47の前部接触部47aの前部接触面47dと各弾性部46の前部弾性部46aの前部弾性接触面46dとが略面一となるまで樹脂部48が撓むと、各前部弾性接触面46dが壁面W1と接触し、前部弾性部46aが衝撃をさらに緩和する。
【００３９】
同様に、図１(a2)に示すように、床ブラシ19を床面Ｆ上で走行させた際には、この床ブラシ19の側部が障害物である壁面W2に衝突することがある。このとき、接触部47の側部接触部47bの側部接触面47eが壁面W2に接触し、樹脂部48が潰れるように撓んで衝撃を緩和し、さらに、接触部47の側部接触部47bの側部接触面47eと各弾性部46の側部弾性部46bの側部弾性接触面46eとが略面一となるまで樹脂部48が撓むと、各側部弾性接触面46eが壁面W2と接触し、側部弾性部46bが衝撃をさらに緩和する。
【００４０】
また、図１(b1)に示すように、前方に位置する壁面W1の近傍の床面Ｆを掃除する際には、床ブラシ19の前部を壁面W1に接触させた状態で、壁面W1の水平方向に沿って床ブラシ19を左右に走行させる。このとき、接触部47の前部接触部47aの前部接触面47dが壁面W1に接触し、樹脂部48が若干潰れるように撓むが、作業者が床ブラシ19を壁面W1に沿って走行させるため、この壁面W1に対して床ブラシ19を必要以上に押し込むことがないので、床ブラシ19の位置は、樹脂部48の弾性によって、床ブラシ19の前部を壁面W1へと押し付ける圧力を逃がしながら、摩擦抵抗が相対的に小さい接触部47の前部接触面47dのみが壁面W1に接触した状態で保持され、摩擦抵抗が相対的に大きい各弾性部46の前部弾性部46aの前部弾性接触面46dが壁面W1に接触することはなく、走行性(操作性)が確保される。
【００４１】
同様に、図１(b2)に示すように、側方に位置する壁面W2の近傍の床面Ｆを掃除する際には、床ブラシ19の側部を壁面W2に接触させた状態で、壁面W2に沿って床ブラシ19を前後に走行させる。このとき、接触部47の側部接触部47bの側部接触面47eが壁面W2に接触し、樹脂部48が若干潰れるように撓むが、作業者が床ブラシ19を壁面W2に沿って走行させるため、この壁面W2に対して床ブラシ19を必要以上に押し込むことがないので、床ブラシ19の位置は、樹脂部48の弾性によって、床ブラシ19の側部を壁面W2へと押し付ける圧力を逃がしながら、摩擦抵抗が相対的に小さい接触部47の側部接触面47eのみが壁面W2に接触した状態で保持され、摩擦抵抗が相対的に大きい各弾性部46の側部弾性部46bの側部弾性接触面46eが壁面W2に接触することはなく、走行性(操作性)が確保される。
【００４２】
さらに、作業者は、床面Ｆの種類などに応じて、設定ボタン22(図４)を操作して回転清掃体を適宜回転させる。
【００４３】
そして、電動送風機27(図４)の負圧の作用によって吸込口33から空気とともに塵埃を吸い込む。吸込口33から吸い込んだ空気は吸込風となり、塵埃とともに接続管32(図３)、延長管18(図４)、ホース体16(図４)および接続管部15(図４)を介して掃除機本体13(図４)の本体集塵室へと吸い込まれ、この本体集塵室内の集塵部によって塵埃が捕集される。そして、この塵埃が捕集された吸込風は、電動送風機室内の電動送風機27(図４)の吸込側へと吸い込まれ、この電動送風機27(図４)内を冷却しつつ通過して排気風となり、掃除機本体13(図４)の排気孔からこの掃除機本体13(図４)の外部へと排気される。
【００４４】
掃除が終了すると、作業者は設定ボタン22(図４)を適宜操作して電動送風機27(図４)の駆動を停止させる。
【００４５】
上述したように、上記第１の実施の形態によれば、接触部47の上方と下方とに弾性部46をそれぞれ配置し、接触部47の先端側を、弾性部46よりも弾性が大きい樹脂部48により付勢しつつケース体31の外側面から弾性部46よりも突出させることにより、バンパ部43が障害物(壁面W1，W2)に衝突した際には、接触部47が障害物に衝突して樹脂部48の弾性により衝撃を緩和するだけでなく、衝撃が大きいときには樹脂部48が最大に変形する前に弾性部46も障害物に接触して衝撃を緩和するので、良好な緩衝性(クッション性)を得ることができるとともに、障害物近傍の床面Ｆの掃除の際には、弾性部46よりも摩擦抵抗(グリップ力)が小さい接触部47の各接触面47d，47eが障害物に接触した状態となるので、ケース体31(床ブラシ19)を障害物に沿って円滑に移動させることができ、障害物近傍の掃除に適する。
【００４６】
すなわち、軟質のバンパ部を用いる従来の構成では、緩衝性を向上するためにバンパ部の弾性を大きくすると、同時に摩擦抵抗が大きくなってしまう。そして、障害物近傍の床面Ｆを掃除する際には、バンパ部を障害物に接触させた状態で床ブラシを障害物に沿って走行させるので、バンパ部の摩擦抵抗が大きいと、床ブラシが障害物に引っ掛かり、床ブラシを走行させ難い。このため、本実施の形態では、弾性部46よりも弾性が大きい樹脂部48によって弾性部46よりも突出させた接触部47を硬質材で形成することで、障害物に接触部47を接触させて樹脂部48の弾性により衝撃を緩和し、大きな衝撃は樹脂部48だけでなく弾性部46によっても衝撃を緩和することができ、安定した緩衝性を得られる一方で、接触部47の摩擦抵抗を弾性部46よりも小さくしたので、障害物の近傍の床面Ｆを掃除する際には、接触部47のみを障害物に接触させることでグリップ力を低下させ、床ブラシ19を障害物に沿って容易に走行させることができる。したがって、良好な緩衝性と障害物近傍での走行性(操作性)とを両立することができる。
【００４７】
また、樹脂部48を可撓変形させて衝撃を緩和することにより、この衝突の際に生じる衝突音をも緩和できるとともに、衝撃が大きい場合でも弾性部46によって衝撃を緩和するので、障害物の傷付きを防止できる。
【００４８】
さらに、床ブラシ19を誤って床面Ｆに落としたとき、一般的には床ブラシ19はその重量配分によって左右幅方向のいずれかが下側となるように傾斜して床面Ｆに衝突しようとするので、接触部47の上方および下方にそれぞれ弾性部46を配置することで、床ブラシ19を誤って床面Ｆに落としたときでも、弾性部46が床面Ｆに接触するので、衝撃を和らげ、床面Ｆの傷付きを防止できる。
【００４９】
そして、ケース体31の長手方向に沿って吸込口33を形成し、この吸込口33に対応して、接触部47の前部接触部47aをケース体31の長手方向に連続的に形成することにより、この前部接触部47aの前部接触面47dを障害物(壁面W1)に接触させると、床ブラシ19のケース体31の前方に、吸込口33に連通する気密性が高い空間部Ｓが形成されるので、床ブラシ19の吸込力を維持できる。
【００５０】
また、床ブラシ19は、横長に形成され、吸込口33も横長であるため、壁面の近傍の床面Ｆを掃除する際には、床ブラシ19の前側を壁面W1に押し付ける方が掃除できる面積が広くなるので、一般に作業者は床ブラシ19の前側を壁面W1に押し付けて掃除をすることが多い。したがって、接触部47に、ケース体31の前面31aに位置する前部接触部47aを形成することにより、作業者が床ブラシ19の前側を壁面W1に押し付けて掃除をする際に、床ブラシ19と壁面W1との衝突の際の衝撃を、接触部47によって確実に緩和できる。
【００５１】
さらに、作業者が把持部21(図４)を把持して床ブラシ19を前後に走行させるとき、壁面に押し付ける力は、床ブラシ19の側部を壁面W2に押し付ける場合よりも床ブラシ19の前部を壁面W1に押し付ける場合の方が強くなる。このため、床ブラシ19は、前部を壁面W1に衝突させた場合の方が、側部を壁面W2に衝突させる場合よりも衝撃が強くなるので、前部接触部47aのケース体31からの突出量L3を、側部接触部47bのケース体31からの突出量L4よりも大きくすることで、前側を衝突させた際の衝撃を、より効率よく、確実に緩和できる。しかも、床ブラシ19の側方は、壁面W2に押し付けられる力が弱いので、側部接触部47bのケース体31からの突出量L4が比較的小さくても、壁面W2との衝突時の衝撃および衝突音をそれぞれ充分に緩和できる。このように、接触部47の突出量を前部と側部とで異ならせることにより、壁面の傷付きや衝突音を抑制しつつ、コンパクトな床ブラシ19を実現できる。
【００５２】
次に、第２の実施の形態を図５を参照して説明する。なお、上記第１の実施の形態と同様の構成および作用については、同一符号を付してその説明を省略する。
【００５３】
この第２の実施の形態は、上記第１の実施の形態の樹脂部48に代えて、弾性体としてのコイルばね57により接触部47を付勢しているものである。
【００５４】
コイルばね57は、各弾性部46よりも大きい弾性を有し、すなわち、各弾性部46よりも撓みやすく、接触部47をケース体31の外側面(前面31aおよび側面31b)に対して突出する方向へと付勢している。また、コイルばね57は、取付孔51，51間にてケース体31(下ケース41あるいは上ケース42)に形成された取付凸部58が内部に挿入されて基端側が保持され、先端側が、接触部47の背面側の凹部47cに形成された取付爪部59が内部に挿入されて保持されている。さらに、これらコイルばね57は、接触部47の背面側の複数箇所に配置されており、接触部47全体を弾性的に支持するように構成されている。また、コイルばね57は、最大に縮む前に、接触部47の各接触面47d，47eが各接触面46d，46eと面一になるように構成されている。
【００５５】
そして、図５(a1)に示すように、床ブラシ19を床面Ｆ上で走行させて前部を壁面W1に衝突させたときには、接触部47の前部接触部47aの前部接触面47dが壁面W1に接触し、コイルばね57が縮んで衝撃を緩和し、さらに、接触部47の前部接触部47aの前部接触面47dと各弾性部46の前部弾性部46aの前部弾性接触面46dとが略面一となるまでコイルばね57が縮むと、各前部弾性接触面46dが壁面W1と接触し、前部弾性部46aが衝撃をさらに緩和する。
【００５６】
同様に、図５(a2)に示すように、床ブラシ19を床面Ｆ上で走行させて側部が壁面W2に衝突させたときには、接触部47の側部接触部47bの側部接触面47eが壁面W2に接触し、コイルばね57が縮んで衝撃を緩和し、さらに、接触部47の側部接触部47bの側部接触面47eと各弾性部46の側部弾性部46bの側部弾性接触面46eとが略面一となるまでコイルばね57が撓むと、各側部弾性接触面46eが壁面W2と接触し、側部弾性部46bが衝撃をさらに緩和する。
【００５７】
また、図５(b1)に示すように、前方に位置する壁面W1の近傍の床面Ｆを掃除する際には、床ブラシ19の前部を壁面W1に接触させた状態で、壁面W1に沿って床ブラシ19を左右に走行させる。このとき、接触部47の前部接触部47aの前部接触面47dが壁面W1に接触し、コイルばね57が若干縮むが、作業者が床ブラシ19を壁面W1に沿って走行させるため、この壁面W1に対して床ブラシ19必要以上に押し込むことがないので、床ブラシ19の位置は、コイルばね57の弾性によって、摩擦抵抗が相対的に小さい接触部47の前部接触面47dのみが壁面W1に接触した状態で保持され、摩擦抵抗が相対的に大きい各弾性部46の前部弾性部46aの前部弾性接触面46dが壁面W1に接触することはなく、走行性が確保される。
【００５８】
同様に、図５(b2)に示すように、側方に位置する壁面W2の近傍の床面Ｆを掃除する際には、床ブラシ19の側部を壁面W2に接触させた状態で、壁面W2に沿って床ブラシ19を前後に走行させる。このとき、接触部47の側部接触部47bの側部接触面47eが壁面W2に接触し、コイルばね57が若干縮むが、作業者が床ブラシ19を壁面W2に沿って走行させるため、この壁面W2に対して床ブラシ19を必要以上に押し込むことがないので、床ブラシ19の位置は、コイルばね57の弾性によって、摩擦抵抗が相対的に小さい接触部47の側部接触面47eのみが壁面W2に接触した状態で保持され、摩擦抵抗が相対的に大きい各弾性部46の側部弾性部46bの側部弾性接触面46eが壁面W2に接触することはなく、走行性が確保される。
【００５９】
この結果、上記第１の実施の形態と同様の作用効果を奏することができる。
【００６０】
なお、上記各実施の形態において、バンパ部43は、下ケース41のみ、あるいは上ケース42のみに取り付けられていてもよい。
【００６１】
また、弾性部46は、接触部47の上方、あるいは下方のいずれか一方にのみ配置してもよい。
【００６２】
さらに、縦長状の掃除機本体の下部に接続されるアップライト型の電気掃除機用の床ブラシ、あるいは、ハンディ型の電気掃除機に備えられた床ブラシにも適用できる。
【００６３】
そして、接触部47は、ケース体31の前面31a、あるいは側面31bのみに配置してもよい。
【符号の説明】
【００６４】
11    電気掃除機
13    掃除機本体
19    吸込口体としての床ブラシ
27    電動送風機
31    ケース体
33    吸込口
43    バンパ部
46    弾性部
47    接触部
47a   前部接触部
47b   側部接触部
48    弾性体としての樹脂部
57    弾性体としてのコイルばね
【図１】
2010200802.tif 000003
【図２】
2010200802.tif 000004
【図３】
2010200802.tif 000005
【図４】
2010200802.tif 000006
【図５】
2010200802.tif 000007